(57)【要約】【課題】光コネクタと光サブアセンブリ内の光学素子間の光結合効率を損なうことなく、光サブアセンブリを組付けることができる光トランシーバを提供する。【解決手段】光トランシーバ１は、光コネクタが挿入される円筒状のスリーブ部と光コネクタへ光信号を送信する光学素子を搭載した本体部とを有する光サブアセンブリ１５と、光サブアセンブリ１５のスリーブ部にそれぞれ二箇所で当接する凹面を有する、互いに対となるホルダ１７及びカバー１８と、光サブアセンブリ１５、ホルダ１７及びカバー１８を協働して収納する上筐体１１及び下筐体１２と、を備える。光サブアセンブリ１５のスリーブ部にホルダ１７及びカバー１８が凹面を対にして当接し、上筐体１１及び下筐体１２によりホルダ１７及びカバー１８を介在させて光サブアセンブリ１５を狭持している。【選択図】図８
2009036843.tif 000002
【特許請求の範囲】
【請求項１】
光コネクタが挿入される円筒状のスリーブ部と、前記光コネクタへ光信号を送信し又は前記光コネクタからの光信号を受信する光学素子を搭載した本体部と、を有する光サブアセンブリと、
該光サブアセンブリの前記スリーブ部にそれぞれ二箇所で当接する凹面を有する、互いに対となるホルダ及びカバーと、
前記光サブアセンブリ、前記ホルダ及び前記カバーを協働して収納する上筐体及び下筐体と、を備え、
前記光サブアセンブリの前記スリーブ部に前記ホルダ及び前記カバーが前記凹面を対にして当接し、前記光サブアセンブリを、前記上筐体及び前記下筐体により、前記ホルダ及び前記カバーを介在させて狭持したことを特徴とする光トランシーバ。
【請求項２】
前記ホルダは、樹脂材料で形成されており、前記下筐体と当接する面に突部を有することを特徴とする請求項１に記載の光トランシーバ。
【請求項３】
前記ホルダは、前記光コネクタを係止する光コネクタ係止部を有することを特徴とする請求項１または２に記載の光トランシーバ。
【発明の詳細な説明】
【技術分野】
【０００１】
本発明は、光信号の送受信に用いられるプラガブルタイプの光トランシーバに関する。
【背景技術】
【０００２】
特許文献１に記載の光トランシーバはＬＣ規格の光コネクタと係合するものであるが、光コネクタを受納するスリーブ部を前方に有するとともに当該スリーブ部に一対のフランジが形成された光サブアセンブリ（ＯＳＡ：Optical Sub-Assembly）と、光トランシーバ内部方向に延びるＵ字状壁が形成された上筐体及び下筐体とを備える。この光トランシーバにおいて、ＯＳＡは、前部の一対のフランジの間に上筐体のＵ字状壁を挟み込みつつ上筐体に取付けられ、さらに下筐体のＵ字状壁で抑えられることにより、光トランシーバに対して固定されている。また、特許文献２に記載の光トランシーバはＳＣ規格の光コネクタと係合するものである。この光トランシーバにおいて、上述のものと同様に前方にフランジを有するＯＳＡは、ＳＣコネクタをラッチし且つＯＳＡを保持するホルダ及び上下筐体によりフランジが挟み込まれて、光トランシーバ内に組み付けられる。
【０００３】
これら光トランシーバでは、搭載するＯＳＡはいずれも同軸形状の本体部と、この本体部から伸び出すスリーブ部とを有し、スリーブ部が上下筐体、あるいは、ホルダに対して固定されている。同軸形状のＯＳＡでは、その内部に搭載された素子からの発熱は比較的少ない。他方、素子を箱型のパッケージに収納し、その先端に円筒状のスリーブ部を設けたＯＳＡも知られている。パッケージを箱型にしパッケージの容積を増すことにより、その内部に素子温度を制御するデバイス等も実装可能となって、高機能のＯＳＡ、光トランシーバが実現される。
【特許文献１】特開２００６−１０６７５１号公報
【特許文献２】特開２００５−３１６４８４号公報
【発明の開示】
【発明が解決しようとする課題】
【０００４】
しかしながら、このように箱型パッケージを有するＯＳＡを光トランシーバに組み込む際に、スリーブ部のフランジを筐体に対して位置決めする従来の方法では、パッケージが大型化したために、組み立ての際の応力等によるモーメントが印加された際に、スリーブ部の軸が所定位置から容易にズレてしまうことが観測された。
【０００５】
本発明は、上述のような実情に鑑みてなされたもので、光コネクタと光サブアセンブリ内の光学素子間の光結合効率を損なうことなく、光サブアセンブリを組付けることができる光トランシーバを提供することを目的とする。
【課題を解決するための手段】
【０００６】
上記課題を解決するために、本発明の光トランシーバは、光コネクタが挿入される円筒状のスリーブ部と、光コネクタへ光信号を送信し又は光コネクタからの光信号を受信する光学素子を搭載した本体部と、を有する光サブアセンブリと、その光サブアセンブリのスリーブ部にそれぞれ二箇所で当接する凹面を有する、互いに対となるホルダ及びカバーと、光サブアセンブリ、ホルダ及びカバーを協働して収納する上筐体及び下筐体と、を備え、光サブアセンブリのスリーブ部にホルダ及びカバーが凹面を対にして当接し、光サブアセンブリを、上筐体及び下筐体により、ホルダ及びカバーを介在させて狭持したことを特徴とする。
【０００７】
また、ホルダが、樹脂材料で形成されており、下筐体と当接する面に突部を有することが好ましい。なお、ホルダが、光コネクタを係止する光コネクタ係止部を有してもよい。
【発明の効果】
【０００８】
本発明の光トランシーバによれば、カバー／ホルダの対の構成により、光サブアセンブリのスリーブ部を光軸に平行で幅のある複数の面で保持することで、光サブアセンブリを組付けた際のその光軸ぶれを抑制することができる。
【発明を実施するための最良の形態】
【０００９】
図１及び図２は、本発明による光トランシーバの一例を説明する図で、図１（Ａ）はその光トランシーバの外観図、図１（Ｂ）はその上面図、図１（Ｃ）はその側面図である。また、図２（Ａ）は光トランシーバの分解図であり、図２（Ｂ）は上筐体を取り外した状態の光トランシーバの斜視図である。
【００１０】
光トランシーバ１は、ホスト装置（不図示）のフェースパネルの開口内に装着して用いられるものであって、例えば、図１（Ａ）に示すように、上筐体１１と下筐体１２とトランシーバカバー１３とを有する。上筐体１１と下筐体１２とトランシーバカバー１３は、協働してＸＥＮＰＡＫ、Ｘ２（ＩＥＥＥ８０２．３ａｅ標準に基づく光送受信器に関する仕様）の筐体を形成し、また、上筐体１１と下筐体１２は、光コネクタ（不図示）が挿入される光レセプタクル２１を形成している。なお、以下の説明では、光トランシーバ１において光レセプタクル２１が形成されている側を前側とし、その反対側を後側とする。
【００１１】
この筐体の側面には、図１（Ｂ）及び図１（Ｃ）に示すように、ラッチ片２０ａが形成されている。光トランシーバ１は図示しないホスト装置の回路基板（以下、ホスト基板）上に設けられた金属製のレールに収納されるが、このラッチ片２０ａは、レールの側面の係合孔と係合するものであり、この係合により光トランシーバ１はホスト装置内に保持される。
【００１２】
ラッチ片２０ａを側面に有する筐体の前部には、グリップ１４が取付けられている。このグリップ１４を光レセプタクル２１（図１（Ａ）参照）の周囲で前後にスライドすることにより、筐体側面のラッチ片２０ａを出没させ、光トランシーバ１とホスト装置のレールとを係合させたり、その係合を解除させたりすることができる。
また、筐体を構成する上筐体１１の上部には、放熱機構として、放熱フィン１１ａが形成されている。光トランシーバ１は主にこの放熱フィン１１ａを介して、後述の送信用光サブアセンブリからの熱などを放熱する。
【００１３】
また、光トランシーバ１は、図２（Ａ）及び図２（Ｂ）に示すように、上述のような筐体内に、送信用光サブアセンブリ（ＴＯＳＡ：Transmitter Optical Sub-Assembly）１５と、受信用光サブアセンブリ（ＲＯＳＡ：Receiver Optical Sub-Assembly）１６と、ＯＳＡホルダ１７と、ＴＯＳＡカバー１８と、回路基板１９と、ラッチ部材２０とを収納している。
【００１４】
ＴＯＳＡ１５は、箱型の本体部１５ａを有し、その本体部１５ａ内にＬＤ等の光学素子（発光素子）やペルチェ素子等を搭載している。なお、この本体部１５ａは、例えば、その上面１５ｄが上筐体１１に形成された凹所（不図示）とゲル状の熱伝導材を介して接触するように構成される。これにより、ＴＯＳＡ１５の本体部１５ａからの熱を、本体部１５ａの上面１５ｄ及びゲル状の熱伝導材を介して上筐体１１（の放熱フィン１１ａ）に伝導し、放熱するようにしている。なお、本体部１５ａと下筐体１２との間に放熱用のグリースを塗るようにしてもよい。
また、ＲＯＳＡ１６はその内部に光学素子（受光素子）であるフォトダイオード等を搭載し、放熱に対する特別な配慮はＴＯＳＡ１５程には要求されない。
【００１５】
ＯＳＡホルダ１７は、ＯＳＡを下方から保持するホルダであり、下筐体１２に取付けられる。ＴＯＳＡ１５及びＲＯＳＡ１６は、ＯＳＡホルダ１７を介して下筐体１２に保持されている。また、ＯＳＡホルダ１７は、後述のように、ＴＯＳＡ１５の略中央部分の円筒部と二箇所で当接する凹面が形成された支持部を有しており、ＴＯＳＡ１５はＯＳＡホルダ１７の支持部にその略中央部分が下方から保持されている。
【００１６】
ＴＯＳＡカバー１８は、ＯＳＡを上方から抑えるカバーであり、ＴＯＳＡ１５の略中央部分を覆うようにして下筐体１２に取付けられる。ＴＯＳＡカバー１８は、後述のように、ＴＯＳＡ１５の略中央部分の円筒部と二箇所で当接する凹面が形成された抑え部を有する。このＯＳＡホルダ１７とＴＯＳＡカバー１８は互いに対になっており、ＯＳＡ（ＴＯＳＡ１５）の後述の円筒状部位にそれぞれが凹面を対にして当接する。光トランシーバ１においては、これらＯＳＡホルダ１７とＴＯＳＡカバー１８を介在させて、上筐体１１及び下筐体１２によりＴＯＳＡ１５は狭持されている。これにより、ＴＯＳＡ１５の光軸方向に対する垂直方向の位置決めが行われている。
【００１７】
回路基板１９は、ＴＯＳＡ１５／ＲＯＳＡ１６と電気信号の授受を行う電子回路（ＩＣ）を搭載している。回路基板１９とＴＯＳＡ１５及びＲＯＳＡ１６は、フレキシブルプリント（ＦＰＣ：Flexible Printed Circuit）基板１９ａ，１９ｂで接続される。
【００１８】
ラッチ部材２０は、筐体側面から突出しホスト装置のレールと係合する上述のラッチ片２０ａが一部に形成されており、また、このラッチ片２０ａを筐体外に向けて付勢する板バネ２０ｂを有する。板バネ２０ｂが外方に向けてラッチ片２０ａを押し出すことによって、ラッチ片２０ａとホスト基板上のレールとの係合状態が維持される。
【００１９】
次に、本発明に係るＴＯＳＡ、ＯＳＡホルダ、ＴＯＳＡカバーの主要部について詳述する。図３（Ａ）はＴＯＳＡの上面図、図３（Ｂ）はその側面図である。また、図３（Ｃ）は、ＴＯＳＡにＦＰＣ基板が取付けられたときの様子を示す斜視図である。
【００２０】
図３に示すように、ＴＯＳＡ１５は、ＬＤやペルチェ素子等を設けた略直方体形状の箱型の本体部１５ａと、光コネクタが挿入される円筒状のスリーブ部とを有し、スリーブ部は、光コネクタが挿入され当該光コネクタに付属する光ファイバにＬＤの光を導くためのスリーブ１５ｃと、本体部１５ａとスリーブ１５ｃとの連接部位であり円筒状に形成されている円筒部１５ｂと、を含む。
【００２１】
本体部１５ａ内のペルチェ素子は、熱伝導率の高い金属などで形成される上面１５ｄ上に搭載されている。すなわち、ペルチェ素子の一方のプレートを上面１５ｄの内側に密着させ、他方のプレート上にＬＤを搭載する。ＬＤを冷却するためにこのＬＤが搭載されているプレートを冷却した場合には、上面１５ｄの内側に接触している一方のプレートは昇温される。ＴＯＳＡ１５は、この熱を、上面１５ｄを介して外部に放出する。
【００２２】
このように、本体部１５ａの上面１５ｄは、ペルチェ素子等の熱を放熱する放熱面として機能する。また、本体部１５ａは、図３（Ａ）及び図３（Ｂ）に示すように、その外側面１５ｅ及び後面１５ｆにそれぞれ複数のリードピン１５ｈ，１５ｉを有する。
【００２３】
外側面１５ｅ及び後面１５ｆのリードピン１５ｈ，１５ｉはともに、図３（Ｃ）に示すように、ＦＰＣ基板１９ａに接続され、ＴＯＳＡ１５はこのＦＰＣ基板１９ａを介して回路基板１９と電気的に接続される（図２（Ｂ）参照）。また、本体部１５ａの前面１５ｇからは、円筒部１５ｂが突出しており、その円筒部１５ｂの前方にはスリーブ１５ｃが形成されている。
【００２４】
スリーブ１５ｃは、光コネクタが挿入される開口（不図示）を前方に有し、後方にはフランジ１５ｊを有する。また、円筒部１５ｂは、スリーブ１５ｃに挿入される光コネクタの光ファイバに、本体部１５ａ内のＬＤからの光信号を光結合させるために、例えば、図示しないファイバスタブやレンズ等を内部に搭載することができる。
【００２５】
図４は、本発明による光トランシーバのＯＳＡホルダを説明する斜視図で、図４（Ａ），（Ｂ）は、それぞれ上方、下方から見た様子を示している。
ＯＳＡホルダ１７は、例えば、樹脂製であり、ＴＯＳＡを保持するＴＯＳＡ側ホルダ１７ａと、ＲＯＳＡを保持するＲＯＳＡ側ホルダ１７ｂとが一体に形成されている。ＴＯＳＡ側ホルダ１７ａは、ＴＯＳＡ１５の円筒状の部位を下側から支持する支持部１７ｃを有する。支持部１７ｃには、ＴＯＳＡ１５の円筒状部位（円筒部１５ｂ）と二箇所で当接する凹面１７ｆが形成されており、この凹面１７ｆはＴＯＳＡ１５の光軸方向と平行方向に幅を有する。
【００２６】
図４には、このような支持部１７ｃがＴＯＳＡ側ホルダ１７ａにのみ形成されている例が示されているが、ＲＯＳＡ側ホルダ１７ｂにも同様の支持部を形成しても良い。支持部１７ｃの前方には、ＴＯＳＡ１５とＯＳＡホルダ１７とを組み付けたときにＴＯＳＡ１５のフランジ１５ｊ（図３参照）が位置するフランジ搭載部（溝）１７ｄが形成されている。ＴＯＳＡ側ホルダ１７ａは、このフランジ搭載部１７ｄのさらに前方に、レセプタクルに挿入される光コネクタを係止する光コネクタ係止片１７ｅを一体的に有する。この光コネクタ係止片１７ｅはＲＯＳＡ側ホルダ１７ｂの前方にも一体的に形成されている。このようなＯＳＡホルダ１７は、下筐体１２の所定の位置に取付けられる（図２参照）。
【００２７】
また、図４（Ｂ）に示すように、支持部１７ｃの底面１７ｇとフランジ搭載部１７ｄを形成する部位の底面１７ｈは実質的に同一平面上にある。このように構成することにより、ＯＳＡホルダ１７と下筐体１２との接触面積を大きくすることができるので、ＯＳＡホルダ１７を下筐体１２に安定した状態で取付けることができる。
下筐体１２に組み付けられたＯＳＡホルダ１７には、ＴＯＳＡ及びＲＯＳＡの両ＯＳＡが組み込まれる。そして、両ＯＳＡの円筒状の部分を上側から抑えるカバーが、少なくともＴＯＳＡ側に取付けられる。
【００２８】
図５は、ＴＯＳＡを抑えるこのカバー（ＴＯＳＡカバー）を説明する斜視図で、図５（Ａ），（Ｂ）は、それぞれ下方、上方から見た様子を示している。図５（Ａ）に示すように、ＴＯＳＡカバー１８は、例えば、樹脂製であって、ＴＯＳＡ１５の円筒部１５ｂに当接してＴＯＳＡ１５を上方から抑える抑え部１８ａを有する。抑え部１８ａには、ＴＯＳＡの円筒状部位と二箇所で当接する凹面１８ｄが形成されており、この凹面１８ｄはＴＯＳＡ１５の光軸方向と平行方向に幅を有する。抑え部１８ａの前方には、下筐体１２（図２参照）にＴＯＳＡカバー１８を取付けたときにＴＯＳＡ１５のフランジ１５ｊ（図３参照）が位置するフランジ搭載部１８ｂが形成されている。
【００２９】
また、抑え部１８ａは、下方に延びだす脚部１８ｅをその両側に有する。この脚部１８ｅが下筐体１２の所定の位置に嵌まることで、ＴＯＳＡカバー１８の光軸方向の動きを規制している。また、抑え部１８ａの両外側面には断面が三角形状のリブ１８ｆを有する。リブ１８ｆの作用については後述する。また、ＴＯＳＡカバー１８は、側壁のみから成る間欠部１８ｃを有する。既存の上筐体１１の多くは、後述の図７（Ａ）に示すように、光トランシーバ１の内部方向に突出する突出部１１ｂを有しており、この突出部１１ｂを受納するため、ＴＯＳＡカバー１８の間欠部１８ｃは形成されている。
【００３０】
次いで、上述のＯＳＡホルダ等が取付けられる下筐体１２について説明する。図６（Ａ），（Ｂ）はそれぞれ、図２の下筐体１２を前方または後方から見た様子を示している。
下筐体１２はＴＯＳＡ搭載空間１２ｅ、ＲＯＳＡ搭載空間１２ｆを画定する複数の壁を有する。上記壁として、それぞれの搭載空間の後背側には、柱部１２ｃが左右、及び中央に設けられており、一方、前方側には、ＯＳＡのスリーブが配座する鞍部１２ｂが形成されている。後述するように、この鞍部１２ｂの後背面１２ｇにＯＳＡのフランジの前方面が当接する。また、ＴＯＳＡ搭載空間１２ｅの後背側の柱部１２ｃには、ＯＳＡホルダ１７、およびＴＯＳＡカバー１８をセットするために、光軸と垂直方向（左右方向）に突出する突き出し１２ａが形成されている。
【００３１】
続いて、このようなＴＯＳＡ１５、ＯＳＡホルダ１７、ＴＯＳＡカバー１８及び下筐体１２の光トランシーバ内部での様子を説明する。
図７及び図８は、光トランシーバの内部の様子を説明する図で、図７（Ａ）は図１（Ｂ）のＢ−Ｂ断面の一部を示し、図７（Ｂ）は図１（Ｃ）のＣ−Ｃ断面の一部を示し、図８（Ａ）は図１（Ｂ）のＡ−Ａ断面の一部を示しており、図８（Ｂ）は図８（Ａ）の部分拡大図である。
【００３２】
図７（Ａ）に示すように、ＴＯＳＡ１５が下筐体１２のＴＯＳＡ搭載空間１２ｅ（図６参照）にセットされ、ＯＳＡホルダ１７、ＴＯＳＡカバー１８が所定位置にセットされると、ＴＯＳＡ１５のフランジ１５ｊの前面１５ｌが下筐体１２の鞍部１２ｂの後背面１２ｇに当接する。一方、ＴＯＳＡ１５のフランジ１５ｊの後面１５ｋは、ＯＳＡホルダ１７のフランジ搭載部１７ｄと支持部１７ｃとの段差面１７ｉと当接する。
【００３３】
さらに、図７（Ｂ）に示すように、下筐体１２の鞍部１２ｂの後背面１２ｇと、下筐体１２の柱部１２ｃの前面１２ｄとの間に、ＴＯＳＡ１５のフランジ１５ｊとＯＳＡホルダ１７の基部とが挟み込まれており、かつ、基部後背面からはリブ１７ｋが突き出し、このリブ１７ｋの先端が下筐体１２の柱部１２ｃの前面１２ｄに当接している。ここでは、ＴＯＳＡ１５のフランジ１５ｊの厚さとＯＳＡホルダ１７の基部の厚さ（リブ１７ｋの高さを含める）の和を、下筐体１２の鞍部１２ｂの後背面１２ｇから柱部１２ｃの前面１２ｄまでの距離に対して若干大きく設定する。これにより、下筐体１２にＯＳＡホルダ１７をセットしＴＯＳＡ１５を下筐体１２のＴＯＳＡ搭載空間１２ｅに搭載したときに三者の位置関係が一義的に決定されることになる。
【００３４】
言い換えると、ＯＳＡホルダ１７を下筐体１２の所定位置にセットすると、下筐体１２の鞍部１２ｂとＯＳＡホルダ１７の支持部１７ｃとの間に溝（凹部）が形成されるが、この溝の幅より大きい厚さのＴＯＳＡ１５のフランジ１５ｊをはめ込むことで、三者の位置関係が規定されるようになっている。すなわち、下筐体１２とＯＳＡホルダ１７とは、ＯＳＡのフランジを固定するように組み合わされる。
【００３５】
このようにして組み立てられたＴＯＳＡ１５、ＯＳＡホルダ１７に対して、ＴＯＳＡカバー１８をセットする。ＴＯＳＡ１５及びＯＳＡホルダ１７の下筐体１２への組み立て後の状態を上方から俯瞰すると、ＴＯＳＡ１５のフランジ１５ｊと下筐体１２の突き出し１２ａとの間に隙間が形成されている。この隙間にＴＯＳＡカバー１８の脚部１８ｅ（図５参照）を差し込むと、脚部１８ｅの後背面１８ｉが下筐体１２の突き出し１２ａの前面に当接し、一方、フランジ搭載部１８ｂの段差面１８ｈが、ＴＯＳＡ１５のフランジ１５ｊの後面１５ｋに当接する。脚部１８ｅの幅とフランジ１５ｊの厚さとの和を、下筐体１２の鞍部１２ｂの後背面１２ｇから下筐体１２の突き出し１２ａの前面までの長さに対して同じにすることで、ＴＯＳＡカバー１８はガタツキなくＴＯＳＡ１５、下筐体１２にセットされる。
【００３６】
ここで、脚部１８ｅの外側面にリブ１８ｆを形成しておくことで、ＴＯＳＡカバー１８をがたつき無く所定位置にセットすることができる。また、一変形例として、脚部１８ｅの後背面１８ｉにも同様のリブを形成しておき、ＴＯＳＡカバー１８をセットする際にこのリブの先端を押し潰すことで、ＴＯＳＡカバー１８はＴＯＳＡ１５、下筐体１２に対してその長軸方向にもガタツキ無く、かつ、ＴＯＳＡ１５のフランジ１５ｊを下筐体１２に押し付けるようにセットすることができる。
【００３７】
以上のようにして、ＴＯＳＡ１５を下筐体１２に対してＯＳＡホルダ１７、ＴＯＳＡカバー１８を用いてＸＹＺいずれの方向についても固定することができる。光軸（Ｚ軸）に平行な方向（光トランシーバの長軸に平行な方向）については上記説明したように、個々の部品を組み付ける際のリブの潰れによりガタツキ無く相対位置が決定される。一方、上下方向（Ｙ軸）については、ＴＯＳＡ１５の円筒部１５ｂをＯＳＡホルダ１７の支持部１７ｃ、及びＴＯＳＡカバーの抑え部１８ａで挟み込むことで、さらに、左右方向（Ｘ軸）について、下筐体１２の鞍部１２ｂとＯＳＡホルダ１７とで形成される凹部にＯＳＡのフランジをセットすることで、それぞれ決定することができる。
【００３８】
図８（Ａ）に示すように、ＴＯＳＡ１５の円筒部１５ｂは、下側からＯＳＡホルダ１７により支持され、上側からＴＯＳＡカバー１８により抑えられ、ＴＯＳＡ１５、ＯＳＡホルダ１７及びＴＯＳＡカバー１８が上筐体１１及び下筐体１２により狭持されている。
【００３９】
このとき、図８（Ｂ）に示すように、ＯＳＡホルダ１７の凹面１７ｆと円筒部１５ｂの下部とは二箇所Ａ，Ｂで接触しており、また、ＴＯＳＡカバー１８の凹面１８ｄと円筒部１５ｂの上部とは二箇所Ｃ，Ｄで接触している。すなわち、円筒部１５ｂは、上下からＶ字構造で挟まれている。このように、ＴＯＳＡ１５の円筒部１５ｂがＯＳＡホルダ１７及びＴＯＳＡカバー１８のそれぞれと二箇所で接触できるように、ＯＳＡホルダ１７及びＴＯＳＡカバー１８の凹面１７ｆ，１８ｄを形成しておくことで、ＴＯＳＡ１５の位置決めがしやすく、また、光軸に対して垂直方向にＴＯＳＡ１５が動くことがないので、ＴＯＳＡ１５を光トランシーバ内で安定して保持することができる。
【００４０】
以上、本発明に係る光トランシーバにおいては、ＯＳＡをＯＳＡホルダとカバーとで上下から挟み込んで固定し、かつ、ＯＳＡとの接触が、従来のフランジのみだけでなく、ＯＳＡホルダとＴＯＳＡカバーとで上下から光軸に平行な複数の面により固定されているので、ＯＳＡを組み付ける際にその光軸のぶれが抑制される。箱型パッケージを有するＯＳＡの実施例について説明したが、従来の同軸形状（円筒形状）のパッケージを有するＯＳＡについても、本願の効果は同様に発揮される。
【００４１】
図９は、本発明による光トランシーバのＯＳＡホルダの他の例を説明する斜視図である。図９のＯＳＡホルダ１７’は、例えば、図５のＯＳＡホルダと同様に、ＴＯＳＡ側ホルダ１７ａ’、ＲＯＳＡ側ホルダ１７ｂ、及び光コネクタ係止片１７ｅが一体的に形成される樹脂製のものである。ＴＯＳＡ側ホルダ１７ａ’には、図５のＴＯＳＡ側ホルダ１７ａと同様に、ＴＯＳＡの略中心の円筒状部位と二箇所で当接する凹面１７ｆが形成されている支持部１７ｃ’を有し、その前方にフランジ搭載部１７ｄを有する。しかし、ＯＳＡホルダ１７’は、図５のＯＳＡホルダ１７と異なり、支持部１７ｃ’の底面に下側に突出する突部１７ｌが形成されている。
【００４２】
図１０は、図９のＯＳＡホルダを光トランシーバに実装したときの光トランシーバ内部の様子を示す図で、図１０（Ａ）は図１（Ｂ）のＡ−Ａ断面の一部を示しており、図１０（Ｂ）は図１（Ｃ）のＣ−Ｃ断面の一部を示している。
図１０（Ａ）に示すように、ＯＳＡホルダ１７’は、ＴＯＳＡ１５の円筒部１５ｂを下側から支持する。また、ＴＯＳＡ１５の円筒部１５ｂは、ＴＯＳＡカバー１８により上側から抑えられている。ＴＯＳＡ１５、ＯＳＡホルダ１７’及びＴＯＳＡカバー１８は上筐体１１及び下筐体１２により狭持される。
【００４３】
このように狭持するために、上筐体と下筐体とはネジ止めして組み付けられる。このとき、ネジ止めによる負荷がＯＳＡホルダやＴＯＳＡ等に作用する。上述のようにＯＳＡホルダ１７’の支持部１７ｃ’の底面に突部１７ｌを形成しておくことで、図１０（Ｂ）に示すように突部１７ｌと下筐体１２とが当接したときに突部１７ｌの先端が潰れるので、ネジ止めによる負荷を緩和できる。
【００４４】
以上のように、本発明の光トランシーバによれば、ＯＳＡを組付けた際のその光軸ぶれを、従来のフランジ一箇所での支持（光軸方向にはフランジの幅のみ）に比較して、抑制することができる。また、ＯＳＡの略中央部分を上下から狭持し固定することにより、ＯＳＡ全体の光軸垂直方向の動きを抑えることができるので、光結合効率の低下を防ぎながらＯＳＡの放熱を行うことも期待できる。
【図面の簡単な説明】
【００４５】
【図１】本発明による光トランシーバの一例を説明する図である。
【図２】本発明による光トランシーバの一例を説明する図である。
【図３】本発明による光トランシーバのＴＯＳＡを説明する図である。
【図４】本発明による光トランシーバのＯＳＡホルダを説明する図である。
【図５】本発明による光トランシーバのＴＯＳＡを抑えるカバー（ＴＯＳＡカバー）を説明する図である。
【図６】本発明による光トランシーバの下筐体を説明する図である。
【図７】本発明による光トランシーバの内部の様子を説明する図である。
【図８】本発明による光トランシーバの内部の様子を説明する図である。
【図９】本発明による光トランシーバのＯＳＡホルダの他の例を説明する図である。
【図１０】図９のＯＳＡホルダを光トランシーバに実装したときの光トランシーバ内部の様子を示す図である。
【符号の説明】
【００４６】
１…光トランシーバ、１１…上筐体、１１ａ…放熱フィン、１１ｂ…突出部、１２…下筐体、１２ｂ…鞍部、１２ｃ…柱部、１２ｄ…前面、１２ｅ…ＴＯＳＡ搭載空間、１２ｆ…ＲＯＳＡ搭載空間、１２ｇ…後背面、１３…トランシーバカバー、１４…グリップ、１５…ＴＯＳＡ、１５ａ…本体部、１５ｂ…円筒部、１５ｃ…スリーブ、１５ｈ，１５ｉ…リードピン、１５ｊ…フランジ、１６…ＲＯＳＡ、１７，１７’…ＯＳＡホルダ、１７ａ，１７ａ’…ＴＯＳＡ側ホルダ、１７ｂ…ＲＯＳＡ側ホルダ、１７ｃ，１７ｃ’…支持部、１７ｄ…フランジ搭載部、１７ｅ…光コネクタ係止片、１７ｆ…凹面、１７ｉ…段差面、１７ｋ…リブ、１７ｌ…突部、１８…ＴＯＳＡカバー、１８ａ…抑え部、１８ｂ…フランジ搭載部、１８ｃ…間欠部、１８ｄ…凹面、１８ｅ…脚部、１８ｆ…リブ、１８ｈ…段差面、１９…回路基板、１９ａ，１９ｂ…ＦＰＣ基板、２０…ラッチ部材、２０ａ…ラッチ片、２０ｂ…板バネ、２１…光レセプタクル。
【図１】
2009036843.tif 000003
【図２】
2009036843.tif 000004
【図３】
2009036843.tif 000005
【図４】
2009036843.tif 000006
【図５】
2009036843.tif 000007
【図６】
2009036843.tif 000008
【図７】
2009036843.tif 000009
【図８】
2009036843.tif 000010
【図９】
2009036843.tif 000011
【図１０】
2009036843.tif 000012